(57)【要約】      （修正有）【課題】利用者がカラオケを楽しみながら、容易かつ効率的に所望の通信販売アイテムを購入できるカラオケシステムの提供。【解決手段】利用者ＩＤ取得手段６と、紹介アイテム記録手段１２と、紹介アイテム一覧表示手段１３と、購入指定アイテム登録手段１４とを有し、所定の演奏楽曲に対応した背景映像内でＰＰ演出されて紹介された通信販売アイテムにつき、その楽曲の演奏時点で、当該楽曲を予約した利用者ＩＤを紐付けして、利用者別情報記録部１９に記録し、その記録された通信販売アイテムを、利用者の指示により一覧表示させると共に、利用者が購入を所望する通信販売アイテムを指定した場合、当該利用者ＩＤを紐付けして、購入対象となる当該通信販売アイテムを所定の購入指定アイテム登録部２０に登録するシステムを構築した。【選択図】図１
2007171720.tif 000002
【特許請求の範囲】
【請求項１】
カラオケ演奏装置、あるいは当該カラオケ演奏装置とネットワーク接続されたカラオケホスト装置とを主体としてなり、利用者ＩＤ取得手段と、紹介アイテム記録手段と、紹介アイテム一覧表示手段と、購入指定アイテム登録手段とを有し、カラオケ利用者が所望の通信販売アイテムを購入するためのカラオケシステムであって、
（ア）利用者ＩＤ取得手段は、当該カラオケシステムにログインする利用者を特定するための利用者ＩＤを取得し、
（イ）紹介アイテム記録手段は、任意の通信販売アイテムが組み込まれた背景映像対応の予約楽曲の演奏時、その背景映像内にて紹介された通信販売アイテムの各アイテムＩＤにつき、当該楽曲を予約した利用者ＩＤを紐付けして所定の利用者別情報記録部に記録し、
（ウ）紹介アイテム一覧表示手段は、任意の利用者の指示をもって、当該利用者ＩＤに紐付けされた前記利用者別情報記録部に記録された各アイテムＩＤに基づき、予め設定されたアイテム属性データ記録部から、それぞれの属性情報を一覧表示し、
（エ）購入指定アイテム登録手段は、前記一覧表示の中から、任意の利用者により購入を所望する通信販売アイテムが指定された場合、当該利用者ＩＤを紐付けして、購入対象となる当該通信販売アイテムを所定の購入指定アイテム登録部に登録する、
を備えてなる通信販売アイテム購入機能付きカラオケシステム。
【発明の詳細な説明】
【技術分野】
【０００１】
本発明は、利用者ＩＤの取得機能を有するカラオケ演奏装置、ないし複数のカラオケ演奏装置およびこれとネットワーク接続されたカラオケホスト装置を主体としてなり、利用者がカラオケを楽しみながら所望の通信販売アイテムを購入できるようにしたカラオケシステムに関する。
【背景技術】
【０００２】
現在のカラオケシステムでは、利用者がカラオケ楽曲を予約していない時間や、予約された場合でもカラオケ楽曲の演奏の合間に、通称「曲間ＣＭ」と呼ばれる広告画像や広告映像が表示されることがある。この曲間ＣＭには様々な種類があり、例えば、新譜や新人アーティストの紹介、あるいは地域性や時事性のあるサービスや商品の紹介、さらには音楽ＣＤやＤＶＤの紹介などがある。これらの曲間ＣＭからはカラオケを楽しみながら様々な情報を得ることができるため、カラオケ利用者の情報源として役立っている。
【０００３】
従来、この曲間ＣＭについての技術が種々想到されてきた。例えば、特許文献１では、カラオケ演奏曲と関連する広告情報が記憶され、その広告情報を適宜読み出して表示し、ＣＭ使用曲等が演奏された場合、そのＣＭの商品名や会社名等を効果的にアピールする技術が開示されている。また、特許文献２では、演奏曲と広告映像がイメージデータにより結び付けられ、演奏曲が必ずしもＣＭ使用曲でない場合でも、そのイメージデータにより結び付けられた広告映像を表示し、これにより広告映像の表示頻度を増加させる技術が開示されている。さらに、特許文献３では、カラオケ演奏端末のタイプ毎に異なる紹介情報をダウンロードさせることにより、また、ダウンロードした紹介情報を演奏端末の状況に合わせて再編集することにより、効率的に最適なＩＣＭを再生することのできる技術が開示されている。
【特許文献１】特開平８−１９４４５３号公報
【特許文献２】特開平８−２３４７８１号公報
【特許文献３】特開平９−２６５２９４号公報
【０００４】
しかしながら、このような曲間ＣＭは、選曲予約が数多く成されている場合には、曲間時間はできるだけ短い方が良いため、曲間ＣＭは利用者にとっては好ましくなく、通常は削除されてしまう。そこで、現在、注目されている宣伝手法として、ＰＰ（プロダクト・プレイスメント）技術がある。このＰＰ技術は、従来から、映画やテレビあるいはゲームの映像内に、その映像の進行に調和するように、自然の流れの中で企業の商品やサービスを組み込む手法として採用されてきたものであって、利用者にとっては違和感なく商品やサービスを視認して受け入れることができるため、効果的な手法となっている。そして、最近では、曲間ＣＭの代わりに、このＰＰ技術をカラオケ背景映像内にも導入し、背景映像のメディア化を検討しようとする動きが活発化している。
【０００５】
また、現在では、放送と通信の融合分野において、ＰＰ技術に対応した商品やサービスを通信販売アイテムの対象とするビジネスモデルも想到されており、新たなビジネスチャンスの創造と通信販売の深耕に繋がるものとなっている。しかしながら、単に通信販売アイテムをカラオケの背景映像内でＰＰ演出するだけでは、利用者にとって、カラオケ楽曲の演奏中という極めて短い時間での購入を判断させるにはかなり無理があり、また、後で判断するとしても、自らが見たＰＰ演出にて紹介された通信販売アイテムに如何なるものがあったかを正確に思い出すのも混沌として大変なことである。あるいは、例え、通信販売アイテムを掲載した冊子やパンフレットなどを別に用意したとしても、これらに掲載された全ての通信販売アイテムから、自らが見たＰＰ演出された通信販売アイテムを容易には特定できず、折角ＰＰ演出でアイテムを紹介しても、これが十分に活かされないことになる。
【発明の開示】
【発明が解決しようとする課題】
【０００６】
そこで、本発明は、所定のカラオケ楽曲の背景映像内にてＰＰ演出などで紹介された通信販売アイテムにつき、利用者に見せたアイテムを特定し、各利用者が演奏後に容易に再確認できるようにして、各利用者に対する紹介情報を十分活かせるようにすると共に、利用者がカラオケを楽しみながら、容易かつ効率的に所望の通信販売アイテムを購入できるカラオケシステムの提供を課題とする。
【課題を解決するための手段】
【０００７】
上記課題を鑑み、本発明者は、任意のカラオケ演奏装置において、所定の演奏楽曲に対応した背景映像内でＰＰ演出されて紹介された通信販売アイテムにつき、その楽曲の演奏時点で、当該楽曲を予約した利用者ＩＤを紐付けして、所定の利用者別情報記録部に、それぞれ記録し、その記録された通信販売アイテムを、演奏後の任意のタイミングにて、利用者の指示により一覧表示させると共に、利用者が購入を所望する通信販売アイテムを指定した場合、当該利用者ＩＤを紐付けして、購入対象となる当該通信販売アイテムを所定の購入指定アイテム登録部に登録するシステムを構築することで、上記課題を解決できることを見出し、本発明の通信販売アイテム購入機能付きカラオケシステムを想到した。
【０００８】
すなわち、本発明の通信販売アイテム購入機能付きカラオケシステムは、カラオケ演奏装置、あるいは当該カラオケ演奏装置とネットワーク接続されたカラオケホスト装置とを主体としてなり、利用者ＩＤ取得手段と、紹介アイテム記録手段と、紹介アイテム一覧表示手段と、購入指定アイテム登録手段とを有し、カラオケ利用者が所望の通信販売アイテムを購入するためのカラオケシステムであって、
（ア）利用者ＩＤ取得手段は、当該カラオケシステムにログインする利用者を特定するための利用者ＩＤを取得し、
（イ）紹介アイテム記録手段は、任意の通信販売アイテムが組み込まれた背景映像対応の予約楽曲の演奏時、その背景映像内にて紹介された通信販売アイテムの各アイテムＩＤにつき、当該楽曲を予約した利用者ＩＤを紐付けして所定の利用者別情報記録部に記録し、
（ウ）紹介アイテム一覧表示手段は、任意の利用者の指示をもって、当該利用者ＩＤに紐付けされた前記利用者別情報記録部に記録された各アイテムＩＤに基づき、予め設定されたアイテム属性データ記録部から、それぞれの属性情報を一覧表示し、
（エ）購入指定アイテム登録手段は、前記一覧表示の中から、任意の利用者により購入を所望する通信販売アイテムが指定された場合、当該利用者ＩＤを紐付けして、購入対象となる当該通信販売アイテムを所定の購入指定アイテム登録部に登録する、
を備えてなることを特徴とする。
【発明の効果】
【０００９】
本発明の通信販売アイテム購入機能付きカラオケシステムによれば、通信販売アイテムが所定のカラオケ背景映像内にＰＰ演出されている場合、その楽曲の演奏時点で、当該楽曲を予約した利用者ＩＤを紐付けして、紹介した通信販売アイテムを利用者別情報記録部にそれぞれ記録するため、各利用者への紹介情報を特定でき、利用者毎に記録された通信販売アイテムを一覧表示して、この一覧表示の中から購入を所望する通信販売アイテムが指定された場合、利用者ＩＤを紐付けして所定の購入指定アイテム登録部に登録するため、紹介された通信販売アイテムにつき、各利用者が演奏後に容易に確認できることから、利用者に対する紹介情報を十分活かせると共に、利用者はカラオケを楽しみながら、容易かつ効率的に所望の通信販売アイテムを購入できるなどといった効果を奏する。
【００１０】
また、利用者別情報記録部や購入指定アイテム登録部をカラオケホスト装置内に設けるようにすれば、ネットワーク接続された何れのカラオケ演奏装置にて紹介された通信販売アイテムでもカラオケホスト装置にて一元管理され、利用者はネットワーク接続された如何なるカラオケ演奏装置からでも、その紹介アイテムの一覧表示を確認したり、利用者毎に購入予約した通信販売アイテムやその購入履歴あるいは購入金額を、各自の利用者別情報記録部から所望のタイミングで容易に確認することができるため、利用者はネットワーク接続された様々な場所にて所望のタイミングで購入を所望するものを容易に指定して登録できるなどといった効果を奏する。
【発明を実施するための最良の形態】
【００１１】
以下、本発明の通信販売アイテム購入機能付きカラオケシステムについて最適な実施例を挙げ、その構成について詳述する。
【実施例１】
【００１２】
図１は、本発明の通信販売アイテム購入機能付きカラオケシステムのブロック構成図である。本実施例のカラオケシステムは、利用者ＩＤの取得機能を有するカラオケ演奏装置（Ｐ）を主体としてなり、このカラオケ演奏装置（Ｐ）は、リモコン装置（５）、ディスプレイ装置（Ｄ）、マイクロフォン装置（Ｍ）、スピーカ（Ｓ）などを付帯し、音源（７）、ミキサ（８）、サウンドシステム（９）、ＭＰＥＧデコーダ（１０）、合成回路（１１）、利用者ＩＤ取得手段たるＩＤカード読み取り／書き込み装置（６）などが接続され、さらに、装置全体のシステム処理を統括的に制御する中央制御手段（２）や本システム運用のための各種データやカラオケ利用に伴って発生する各種データ、通信制御手段（１５）を介してネットワーク接続されたカラオケホスト装置（図６参照）から電送されてきた各種データ、あるいはカラオケホスト装置へ電送するための各種データなどを記録するためのＲＡＭ（４）やハードディスク装置（３）といった記憶手段などから構成されている。
【００１３】
ここで、上記各構成要素について詳述する。先ず、各利用者は、リモコン装置（５）に付帯したＩＤカード読み取り／書き込み装置（６）をもってシステムにログインすると、当該利用者ＩＤが取得された利用者毎の「ＩＤアイコン」が形成される。そして、このＩＤアイコン形成以降は、自らのＩＤアイコンを指定した前後の操作、例えば、ＩＤアイコンの指定に続けて、所望するカラオケ楽曲の予約操作、あるいは、後述する利用者別情報記録部に記録された紹介アイテムの一覧表示の指示や利用者が購入を所望する通信販売アイテムの指定といった操作、ないし、これらの操作に続けて自らのＩＤアイコンを指定すれば、当該操作が誰から発せられたものなのかを識別することができる。
【００１４】
以下、利用手順に従い、各構成要素を説明する。リモコン装置（５）の利用者インタフェイスから発信された任意の利用者が指定した楽曲ＩＤが、中央制御手段（２）側の操作信号インタフェイス（１８）を介して受け付けられると、その楽曲ＩＤは、カラオケ楽曲予約手段（１７）により、予約した利用者ＩＤと対応付けして演奏予約の待ち行列（図示省略）に登録される。予約された楽曲ＩＤに対応するカラオケ楽曲は順次演奏されるが、演奏は以下のような仕組みで行われる。先ず、中央制御手段（２）は、待ち行列に登録された楽曲について、その楽曲ＩＤをシーケンサ（１６）に伝達する。シーケンサ（１６）は、主に楽曲シーケンサ、歌詞シーケンサおよび文字パターン作成手段からなり、楽曲シーケンサは当該楽曲ＩＤで識別される演奏データ（２１）を読み出し、音源（７）は、読み出された演奏データ（２１）に応じて楽音信号を形成する。形成された楽音信号はミキサ（８）に入力され、この音源（７）からの楽音信号とマイクロフォン装置（Ｍ）からの歌唱音声信号を適当なバランスでミキシングし、このミキシングされた音声信号がサウンドシステム（８）に入力される。当該サウンドシステム（８）はパワーアンプを備えており、このミキシング信号を増幅して、所定のスピーカ（Ｓ）から放音する。
【００１５】
ハードディスク装置（３）には、上記演奏データ（２１）の他、映像データ（２２）がＭＰＥＧ形式に蓄積されている。この映像データ（２２）の記憶部には、各カラオケ楽曲に対応した背景映像データ（２２ａ）や、その中でも、企業の商品やサービスがＰＰ演出されているメディア化された背景映像には、その映像内で紹介される通信販売アイテムを特定するためのアイテムＩＤデータ（２２ｂ）が記憶されている。なお、このアイテムＩＤデータ（２２ｂ）は、背景映像データ内のストリーム構造のヘッダ部、あるいは別体として背景映像データに付帯させて、各種の識別番号（商品番号／サービス番号／管理番号など）がエンコードされている。そして、紹介された各アイテムＩＤにつき、当該背景映像を伴う楽曲の演奏時に、当該楽曲を予約した利用者ＩＤを紐付けして所定の利用者別情報記録部（１９）に記録される。
【００１６】
背景映像データ（２２ａ）に対して、中央制御手段（２）が再生処理を行うが、具体的には、楽曲の演奏時、当該楽曲に対応した背景映像データは、ＭＰＥＧデコーダ（１０）に入力される。そして、このＭＰＥＧデコーダ（１０）は、当該映像データを復調して、ＮＴＳＣの映像信号に変換し、これを合成回路（１１）に入力する。合成回路（１１）はその映像信号上に歌詞テロップや採点表示などをＯＳＤ合成し、合成された映像信号は所定のディスプレイ装置（Ｄ）に表示されるものである。
【００１７】
ハードディスク装置（３）には、さらに、利用者別情報記録部（１９）が設定され、紹介アイテム記録手段（１２）は、任意の通信販売アイテムが組み込まれた背景映像に対応する予約楽曲の演奏時、その紹介された各アイテムＩＤにつき、当該楽曲ＩＤデータ（１９ｃ）と紹介アイテムＩＤデータ（１９ｂ）、そして、当該楽曲を予約した利用者ＩＤデータ（１９ａ）を、利用者別情報記録部（１９）に記録する。すなわち、ＰＰ演出された背景映像に対応した楽曲が演奏されると、その演奏時点で、楽曲予約した利用者が見た商品やサービスが特定され、その紹介アイテムが記録されるものである。
【００１８】
次に、紹介アイテムの一覧表示について説明する。紹介アイテム一覧表示手段（１３）は、任意の利用者から、利用者別情報記録部（１９）に記録された紹介アイテムデータ（１９ｂ）を一覧表示する旨の指示を受けると、当該利用者ＩＤデータ（１９ａ）に紐付けられた利用者別情報記録部（１９）の紹介アイテムデータ（１９ｂ）を一覧形式にて、リモコン装置（５）のＬＣＤ（Liquid Crystal Display）、あるいは背景映像／歌詞テロップ表示用のディスプレイ装置（Ｄ）に表示する。ただし、ＬＣＤの方が、背景映像や歌詞テロップ表示を伴うカラオケ演奏を阻害しないため都合がよい。なお、この紹介アイテムデータ（１９ｂ）は、それぞれのアイテムＩＤに対応したアイテム属性データ記録部（２３）に管理されている個々の属性情報から引用される。そして、この一覧表示の中から、任意の利用者が購入を所望する通信販売アイテムを指定した場合、購入指定アイテム登録手段（１４）は、ハードディスク装置（３）に設定された購入指定アイテム登録部（２０）に、当該利用者ＩＤデータ（２０ａ）を紐付けした購入指定アイテムデータ（２０ｂ）を登録する。
【００１９】
なお、本実施例では、購入指定アイテム登録部（２０）と、利用者毎の利用者別情報記録部（１９）とは独立しており、利用者の購入指定アイテムデータ（２０ｂ）を、その利用者ＩＤデータ（２０ａ）を紐付けて一括管理しているが、本発明はこれに限らず、それぞれの利用者別情報記録部（１９）に、利用者毎の購入指定アイテム登録部（２０）を包含させても構わない。この構成によれば、別の管理テーブルを設けずに、一覧表示用と購入用を同じテーブルで処理できるためシステム構成が簡略化できると共に、利用者毎に購入予約した通信販売アイテムやその購入履歴あるいは購入金額を、各自の利用者別情報記録部から所望のタイミングで容易に確認することができる。
【００２０】
ここで、図２に示す、カラオケ演奏装置が付帯するリモコン装置の外観図、および図３に示す、利用者別ログイン・ログアウト指示用インタフェイス表示画面に基づき、本発明における利用者ＩＤ取得手段について、さらに詳述する。
【００２１】
先ず、図２に示すように、本実施例におけるカラオケリモコン装置（５）には、液晶ディスプレイ（ＬＣＤ：５ａ）が付帯されていると共に、センサ方式の操作パネル（５ｂ）も装着されており、これらがＧＵＩ（Graphical User Interface）を提供している。さらに、本体正面の略上端部には、所定のカラオケ演奏装置に楽曲ＩＤなどを予約するために使用する発光ダイオードからなる赤外線転送部（図示省略）が設けられ、また、下端部には、本発明の利用者ＩＤ識別手段たるＩＤカード読み取り／書き込み装置（６）が設けられている。なお、本発明の利用者ＩＤ取得機能について、本実施例では、そのＩＤ記録媒体を非接触ＩＣモジュールを搭載したＩＤカードとしているが、本発明はこれに限らず、例えば、同様のＩＣモジュールを搭載した携帯電話や、近距離無線通信手段であるブルートゥース（blue tooth）機構を有する携帯電話を採用したり、あるいは、利用者ＩＤ取得手段そのものでは、本実施例におけるような、ＩＤカード読み取り／書き込み装置に限らず、例えば、パスワードの入力装置、あるいは指紋や声紋などの生体識別手段などを利用しても構わない。
【００２２】
そして、図３には、このリモコン装置付帯のＧＵＩを利用した、利用者別ログイン・ログアウト指示用インタフェイス表示画面が示されている。この表示画面には、利用者別顔写真付きボタン列（３０）や、当該通信カラオケシステムへのログインをするための「ログイン」ボタン（３１）あるいは、利用終了時にログアウトをするための「ログアウト」ボタン（３２）などが設けられている。その操作法に従えば、先ず、利用者は「ログイン」ボタン（３２）を選択した後、上記利用者ＩＤ取得手段に自らのＩＤカードを装填することにより、（あるいは、逆の手順にて）これに紐付けされた利用者ＩＤが取得されると同時に、当該カラオケシステムへログインした利用者ＩＤを取得して利用者を特定する。
【００２３】
利用者が特定されると、カラオケホスト装置に予め登録された利用者の顔写真あるいは予め登録されていない場合、リモコン装置付帯のデジタルカメラ機能を使って撮影した利用者の顔写真を新たに登録し、順次、所定の利用者別顔写真付きボタン（３０ａ）が、利用者毎の利用者識別用インタフェイスとして作成される。したがって、利用者が楽曲を予約する過程において、この利用者別顔写真付きボタンを選択することで、その利用者ＩＤが付与されて演奏予約が行われ、そして、本発明における紹介アイテムの一覧表示や購入指定アイテムの登録などに利用できる。
【００２４】
ここで、図４に示す、リモコン装置のＬＣＤによる紹介アイテムの一覧表示画面に基づき、本発明における紹介アイテム記録手段について、さらに詳述する。
【００２５】
前述したように、利用者は、そのセンサ方式の操作パネルのＧＵＩを利用し、このＧＵＩによる対話を通じ、紹介アイテムの一覧表示およびその購入システム起動のトリガーとなる通信販売モードのアイコン（図示省略）を利用者ＩＤのアイコンと続けて指定することで、利用者が所望する通信販売アイテムを購入できるように構成している。すなわち、利用者ＩＤが識別された任意の利用者の指示があると、（イ）に示すように、通信販売モードの表示画面が表示される。この表示画面には、通信販売アイテムが組み込まれた背景映像対応の予約楽曲の演奏時に、当該楽曲を予約した利用者の氏名（ｄ１）や、その利用者別情報記録部に記録された紹介アイテムの一覧（ｄ２）が表示される。なお、本実施例では、紹介アイテムの一覧表示（ｄ２）には紹介アイテムの商品番号、商品名、通販価格、購入指定フラグなどといった各種の属性情報が、前述したアイテム属性データ記録部から引用されて表示される。
【００２６】
利用者は、この表示画面を見ながら、購入を所望する通信販売アイテムを指定する。この時、デフォルト設定では、当該利用者ＩＤが識別されているが、当該利用者以外の利用者が購入したい場合は、前述した利用者識別用インタフェイスを利用し、デフォルト設定を変更し、その利用者ＩＤを識別させる。そして、購入指定フラグ欄を選択することで、（ロ）に示すように、例えば、購入所望アイテムのフラグ（ｄ３）を立てることで、所望の通信販売アイテムを指定できるように構成される。なお、本実施例では、勿論、購入指定を解除できるようにも構成されている。このようにして購入対象となる通信販売アイテムを最終指定した後に「購入指定」ボタン（ｄ４）を選択すれば、次に、（ハ）に示すような購入確認画面が表示される。
【００２７】
この表示画面には、購入者の氏名（ｄ１）、購入指定アイテムの内容表示（ｄ５）、購入者が支払う合計金額（ｄ６）などが表示される。なお、上記デフォルト設定が変更されている場合には、購入者の氏名（ｄ１）も同様に変更されるように構成されている。また、この表示画面には、利用者が最終的に購入指定を確認したことを示す「購入確認」ボタン（ｄ７）が設けられ、利用者はこのアイコン（ｄ７）を選択することで正式な発注をしたことになる。なお、本実施例では、「購入確認」ボタン（ｄ７）に並列して、利用者が紹介アイテムの一覧表示（ｄ２）を再度見るための「戻る」ボタン（ｄ８）や、購入指定をキャンセルするための「取り消し」ボタン（ｄ９）なども設けられている。
【００２８】
以下、本発明の別の実施例である、図５に示す、カラオケホスト装置を含めた本発明のカラオケシステムのネットワーク構成図、および図６に示す、カラオケホスト装置のブロック構成図に基づき、別の実施例を挙げて、本発明について詳述する。
【実施例２】
【００２９】
先ず、図６に示すように、本実施例のカラオケシステム（４１）は、複数の上記カラオケ演奏装置（Ｐ，Ｐ…）と、これら演奏装置（Ｐ，Ｐ…）にネットワーク通信網（Ｎｉ）を介して接続されたカラオケホスト装置（Ｈ）を主体としている。具体的には、先ず、カラオケホスト装置（Ｈ）は、一般公衆電話回線やＡＤＳＬあるいは光通信回線などを利用した通信ネットワークを介して各カラオケ演奏装置（Ｐ，Ｐ…）に接続され、例えば、インターネット（Ｎｉ）を利用したカラオケ事業者が管理するＶＰＮ（Virtual Private Network）を用い、カラオケホスト装置（Ｈ）と各カラオケ演奏装置（Ｐ）がルータ（図示省略）を介して接続される。各ルータは、その内蔵するＤＨＣＰ（Dynamic Host Configuration Protocol）サーバ機能によって、各カラオケ演奏装置（Ｐ，Ｐ…）にＩＰアドレスを割り当て、それらのＭＡＣ（Media Access Control）アドレスと、このＩＰアドレスとを対応付けしたテーブルを作成して通信処理をしている。
【００３０】
そして、図６に示すように、本実施例のカラオケホスト装置（Ｈ）は、ホスト装置全体の機能を統括的に制御するための中央制御手段（４２）の他、各種データを記憶するためのハードディスク装置（４３）、カラオケ演奏装置（Ｐ）との各種データのネットワーク送受信を行うための通信インタフェイス（４７）などから主に構成され、ハードディスク装置（４３）には、上記［実施例１］と同様のアイテム属性記録部（４４）、利用者別情報記録部（４５）、購入指定アイテム登録部（４６）が設けられている。
【００３１】
ネットワーク接続されている所定のカラオケ演奏装置（Ｐ）にて、前述したのと同様、背景映像内でＰＰ演出されて紹介された通信販売アイテムにつき、その紹介されたアイテムＩＤが、その楽曲の演奏時点で、当該楽曲を予約した利用者ＩＤがある場合、当該カラオケ演奏装置（Ｐ）からは、利用者ＩＤが紐付けされたアイテムＩＤが電送されてくる。通信インタフェイス（４７）が、この電送データを受け取ると、ハードディスク装置（４３）に設けられた利用者別情報記録部（４５）に、利用者ＩＤが紐付けされて、紹介されたアイテムＩＤが記録される。なお、本実施例のように、カラオケホスト装置内にアイテム属性データ記録部、利用者別情報記録部、購入指定アイテム登録部が設けられ、一元管理されている場合、必ずしもカラオケ演奏装置内にはこれらを設ける必要はない。
【００３２】
なお、本実施例でも、カラオケホスト装置（Ｈ）における購入指定アイテム登録部（４６）は、利用者毎の利用者別情報記録部（４５）とは独立しており、各利用者の購入指定アイテムをそれぞれの利用者ＩＤに紐付けすることで管理しているが、本発明はこれに限らず、前述したように、利用者別情報記録部（４５）に、利用者毎の購入指定アイテム登録部（４６）を包含させても構わない。
【００３３】
次に、図７に示す、本発明のカラオケシステムのシステムフロー図に基づき、本発明のシステム全体の動作フローについて詳述する。
【００３４】
先ず、各利用者はＩＤカード読み取り／書き込み装置を用いてカラオケシステムにログインする（Ｓ１）と利用者毎に利用者ＩＤが取得される（Ｓ２）。この取得をもって、その後に発生する各個人の操作を識別できる。任意の利用者が楽曲を予約する（Ｓ３）と、その予約された楽曲ＩＤに対応するカラオケ楽曲は順次演奏されるが、通信販売アイテムを組み込んだ背景映像に対応する楽曲が演奏された（Ｓ４）場合、当該楽曲を予約した利用者ＩＤを紐付けして所定の利用者別情報記録部に記録される（Ｓ５）。
【００３５】
所望のタイミングで任意の利用者が、その記録された通信販売アイテムを一覧表示する旨の指示を出したか否かが判断され（Ｓ６）、指示が出された場合には、その利用者に対応した紹介アイテムの一覧が表示される（Ｓ７）。指示が出されてない場合には、表示されることはなく、演奏に従い、順次、紹介アイテムが記録されて行く。一覧表示されると、この一覧表示により利用者が購入を所望する通信販売アイテムの購入指定が確認される（Ｓ８）。そして、指定が確認された場合には、購入指定アイテム登録部の登録前に購入指定アイテムの最終確認の表示を行う（Ｓ１０）。一方、指定が確認されなかった場合には、利用者の指示により、あるいは一定時間経過後にデフォルト画面に戻る。そして、指定が確認されると、通信販売アイテムの購入指定の最終確認が判断され（Ｓ１１）、最終確認がなされた場合、購入指定アイテム登録部への登録が行われる（Ｓ１２）。一方、最終確認がなされなかった場合には、購入指定アイテムは取り消される（Ｓ１３）。
【００３６】
購入指定アイテム登録部への登録が行われた（Ｓ１２）後は、別システムにて利用者別の購入に伴う課金処理や、通信販売業者あるいは自社流通センタへの通信販売アイテムの発注処理が行われる。なお、システムからのログアウトは随時確認される（Ｓ９）が、個々の利用者に対し、ログアウトが確認されない状態ではシステム処理は継続され、確認された段階でシステム処理は終了する。また、利用者毎の紹介アイテムについては、ログアウト時に全て消去してもよいが、利用者の消去指示によりこれを消去するように構成し、消去指示がある迄、当該紹介アイテムをカラオケ演奏装置内あるいはカラオケホスト装置内に蓄積しても構わない。
【００３７】
以上、詳述したように、本発明の通信販売アイテム購入機能付きカラオケシステムによれば、通信販売アイテムが所定のカラオケ背景映像内にＰＰ演出されている場合、その楽曲の演奏時点で、当該楽曲を予約した利用者ＩＤを紐付けして、紹介した通信販売アイテムを利用者別情報記録部にそれぞれ記録するため、各利用者への紹介情報を特定でき、利用者毎に記録された通信販売アイテムを一覧表示し、この一覧表示の中から購入を所望する通信販売アイテムが指定された場合、利用者ＩＤを紐付けして所定の購入指定アイテム登録部に登録するため、紹介された通信販売アイテムにつき、各利用者が演奏後に容易に確認できることから、利用者に対する紹介情報を十分活かせると共に、利用者はカラオケを楽しみながら、容易かつ効率的に所望の通信販売アイテムを購入できる。
【図面の簡単な説明】
【００３８】
【図１】本発明の通信販売アイテム購入機能付きカラオケシステムのブロック構成図
【図２】カラオケ演奏装置が付帯するリモコン装置の外観図
【図３】利用者別ログイン・ログアウト指示用インタフェイス表示画面
【図４】リモコン装置のＬＣＤによる紹介アイテムの一覧表示画面
【図５】カラオケホスト装置を含めた本発明のカラオケシステムのネットワーク構成図
【図６】カラオケホスト装置のブロック構成図
【図７】本発明のカラオケシステムのシステムフロー図
【符号の説明】
【００３９】
２，４２  中央制御手段
３，４３  ハードディスク装置
５  リモコン装置
６  利用者ＩＤ取得手段
１２  紹介アイテム記録手段
１３  紹介アイテム一覧表示手段
１４  購入指定アイテム登録手段
１９，４５  利用者別情報記録部
２０，４６  購入指定アイテム登録部
２２  映像データ
２２ａ  背景映像データ
２２ｂ  アイテムＩＤデータ
２３，４４  アイテム属性データ記録部
Ｈ    カラオケホスト装置
Ｐ    カラオケ演奏装置
【図１】
2007171720.tif 000003
【図２】
2007171720.tif 000004
【図３】
2007171720.tif 000005
【図４】
2007171720.tif 000006
【図５】
2007171720.tif 000007
【図６】
2007171720.tif 000008
【図７】
2007171720.tif 000009